(57)【要約】      （修正有）【課題】花を模した形状の装飾用編み物であって、花を模した形状が有する利点を生かしながらも、さらなる装飾性の実現と、多様性に富んだ装飾用編み物を提供する。【解決手段】糸を編んで形成される装飾用の編み物１において、渦巻部２と、丸型コーナー部３と、角型コーナー部４と、を備え、渦巻部２は、平面視が渦巻状であって内部に配置される部分２ａと、湾曲状に形成される外周部２ｂと、を有し、丸型コーナー部３は、湾曲状に形成され、角型コーナー部４は、２つの直線又は略直線が交差した形状であり、渦巻部２の内部に配置される部分２ａは、積層構造により立体的に形成され、渦巻部の外周部２ｂと、丸型コーナー部３と、角型コーナー部４と、を含んで外周が形成される。【選択図】図１
0003221123.tif 000002
【実用新案登録請求の範囲】
【請求項１】
糸を編んで形成される装飾用の編み物において、
渦巻部と、丸型コーナー部と、角型コーナー部と、を備え、
前記渦巻部は、積層構造により立体的に形成され、
前記丸型コーナー部は、湾曲状に形成され、
前記角型コーナー部は、２つの直線又は略直線が交差した形状である、
ことを特徴とする装飾用編み物。
【請求項２】
前記丸型コーナー部は、前記渦巻部の外周と、中心軸に対称又は略対称に形成され、
前記角型コーナー部は、該中心軸上に形成され、
前記編み物の平面視がハート形状である、
ことを特徴とする請求項１記載の装飾用編み物。
【請求項３】
前記編み物が絹糸によって形成される
ことを特徴とする請求項１又は請求項２記載の装飾用編み物。
【請求項４】
前記編み物がレース糸によって形成される
ことを特徴とする請求項１又は請求項２記載の装飾用編み物。
【考案の詳細な説明】
【技術分野】
【０００１】
本考案は、糸を編むことによって形成される編み物に関するものであり、より具体的には、積層構造を有する渦巻部を備えた装飾用の編み物に関するものである。
【背景技術】
【０００２】
従来、糸を編んでなる編み物は、マフラー、帽子、セーターなどの被服、かばん類、袋物、小物類に止まらず、コースター、布巾などの日用雑貨として幅広く用いられていた。このような編み物を制作するために用いられる鎖編み、中編み、長編み、細編み、引き抜き編み、増し目などの多様な編み方は、元来、その用途と対象となる編み物の部位に応じて適宜選択されるものであったが、これらの編み方を用いることによって形成される編み目の多様性と装飾性に着目し、昨今は、編み物そのものを装飾品として用いる例が見受けられる。例えば、置物、壁飾り、キーホルダー、チャーム、さらには身飾品、アクセサリーとしての編み物などが市場に流通している。
【０００３】
編み物を装飾用として用いる場合には、編み物そのものが需要者の目を惹くよう、様々な工夫が施されている。例えば、編み方を工夫して編地の表面に立体的な形状を形成する特許文献１のようなものが知られている。
立体的な形状を形成することにより、平面的に構成されるものと比べ目に留まりやすく、より、需要者の目を惹くと考えられる。
【０００４】
特許文献１の他に、図７（ａ）のように、花を模した形状の立体的な装飾用編み物が見受けられる。
花は古くから生活を彩るものとして、さらにはプレゼントとして、あらゆる場面で用いられており、広く人々に親しまれるものであった。また、人々に華やかさと彩りを与えるものとして、例えば、身を飾るものとしてのブローチや髪飾りなどのモチーフにもなっている。従来、このような経緯により、花を模した装飾用編み物は流通していたが、編み方を工夫することでその形状を立体的に形成するところまでは、なされていなかった。
【０００５】
図７（ａ）の装飾用編み物は、（ｂ）の編み目記号にて示すとおり、鎖編みからなる一段目と、２目程度の長編み又は目を飛ばした鎖編み等からなる二段目とを備えることにより、一段目と二段目の間に複数の空間が生じており、その空間ごとに、複数の長編みと細編みを組み合わせて三段目を編み込むことによって、扇形又は略扇形の形状を形成する。三段目まで編んだものを（ｃ）にて図示するとおり鎖編み方向に巻き、さらに、一段目の鎖編み部分をまとめて糸で束ね、形状を整えることにより、複数の扇形形状を花弁に見立て、（ａ）のような花を模した形状を制作する。
【０００６】
図７のような装飾用編み物は、立体的な形状を形成することによって需要者の目を惹き、また、人々に親しまれている花を模した形状を採用することによって、購買意欲を喚起させるものであると考えられる。さらに、編み物そのものを置物として、本物の花のように彩りを添えるものとして活用することができるため、この編み物は、装飾用編み物の多様性と可能性を示唆したものであるとも言える。
【先行技術文献】
【特許文献】
【０００７】
【特許文献１】特開２００７−１０７１５９号公報
【考案の概要】
【考案が解決しようとする課題】
【０００８】
しかしながら、図７のような編み方では、一段目と二段目の空間の大きさ、数、さらには長編みと細編みの組み合わせに変化を加えることで、花弁の大きさ、数にバリエーションを持たせることは可能であるものの、いずれにしても全体としては花の形状であり、その形状から大きく変化させることができない、という点で限界があった。
【０００９】
装飾用編み物の市場においても、図７の編み物に追従するように、扇形形状を花弁に見立てて、その大きさ、数、形状の異なる花を模して制作するといった例はあるものの、花の形状から脱することのない僅かな差異でしかなかった。装飾性を高めるための新たな工夫、例えば、花の形状に他のモチーフや図形を組み合わせるといった装飾用編み物としてのさらなる可能性については何ら示唆されておらず、いずれも花の形状のバリエーションの差にとどまるものであった。
前述のとおり、図７のような編み方では、構造上、他のモチーフや図形を組み合わせることは難しく、花の形状を有しながら、他のモチーフや図形を取り入れるには、従来の花の編み方とは異なるアプローチで編む必要があった。
【００１０】
一方、花とは異なる他のモチーフや図形同士を組み合わせた編み物も存在はしていたが、いずれも平面的に構成されたものであり、立体的に形成されることで需要者の目を惹くといった機能までも有するものではなかった。
【００１１】
本考案は、かかる課題を解決するために創案されたものである。すなわち、本考案の目的は、従来とは異なるアプローチで花を模した形状を立体的に形成することにより、その装飾性と需要者への興味の喚起を維持しながら、花と別の図形とを組み合わせた新たな形状を創作することにより、装飾用編み物のさらなる可能性を示唆することにある。
【課題を解決するための手段】
【００１２】
上記課題を解決するために、本願請求項１に記載の考案は以下の構成を有する。すなわち、
糸を編んで形成される装飾用の編み物において、
渦巻部と、丸型コーナー部と、角型コーナー部と、を備え、
前記渦巻部は、積層構造により立体的に形成され、
前記丸型コーナー部は、湾曲状に形成され、
前記角型コーナー部は、２つの直線又は略直線が交差した形状である、
ことを特徴とする装飾用編み物。
【００１３】
また、本願請求項２に記載の考案は以下の構成を有する。すなわち、
前記丸型コーナー部は、前記渦巻部の外周と、中心軸に対称又は略対称に形成され、
前記角型コーナー部は、該中心軸上に形成され、
前記編み物の平面視がハート形状である、
ことを特徴とする請求項１記載の装飾用編み物。
【００１４】
また、本願請求項３に記載の考案は以下の構成を有する。すなわち、
前記編み物が絹糸によって形成される
ことを特徴とする請求項１又は請求項２記載の装飾用編み物。
【００１５】
また、本願請求項４に記載の考案は以下の構成を有する。すなわち、
前記編み物がレース糸によって形成される
ことを特徴とする請求項１又は請求項２記載の装飾用編み物。
【考案の効果】
【００１６】
本考案の装飾用編み物は、積層構造を有する渦巻部により立体的な形状を形成していることから、次のような効果がある。
（１）積層構造を有し立体的に形成される渦巻部が、バラなどの花弁を想起させることにより、花を模した形状の立体的な装飾用編み物と同様に、需要者の目を惹き、興味を喚起することができる。
（２）積層構造を有する渦巻部により、簡略的に花の形状を模しながら、編み物全体としては、他のモチーフや図形を形成することが可能であり、編み物のさらなる装飾性と多様性を実現することができる。
【図面の簡単な説明】
【００１７】
【図１】本考案の一実施形態を示す平面図である。
【図２】本考案の一実施形態を示す斜視図である。
【図３】渦巻部を示す模式図である。（ａ）は平面図であり、（ｂ）は斜視図である。
【図４】丸型コーナー部を示す模式図である。
【図５】角型コーナー部を示す模式図である。
【図６】本考案の制作工程と領域を図示したものである。（ａ）は第一領域から第三領域までを示しており、（ｂ）は第一領域の上層に積層された第四領域を示している。
【図７】従来の編み方で制作された花を模した形状の装飾用編み物である。（ａ）は編み物の斜視図であり、（ｂ）は編み目記号を用いて前記編み物の編み方を示したものである。（ｃ）は前記編み物の制作工程のうち、立体形状を形成する工程を示した模式図である。
【考案を実施するための形態】
【００１８】
以下、本考案の実施の形態の一例を図に基づいて説明する。
【００１９】
図１は、糸を編んで形成される装飾用の編み物１である。編み物１は、渦巻部２と、渦巻部２に連結して形成される丸型コーナー部３と、編み物１の外周上に形成される角型コーナー部４とを含んでなるものである。なお、本考案における編み物１に用いられる糸は、毛糸に限らず、例えば、レース糸、刺繍糸、ミシン糸、絹糸などでも実現することができ、すなわち編むことのできる糸であれば、名称、用途、材質、太さは問わない。また、本考案の実施形態では、鉤針を用いて手編みで制作しているが、鉤針の種類は問わず、編み棒を用いて制作してもよい。さらに、機械編みで本考案を実施できるのであれば、機械編みでも構わない。
【００２０】
図２は、編み物１の斜視図である。この図に示されているとおり、渦巻部２の渦の中心部分２ａと渦の外周部分２ｂとでは、高低差が生じている。この高低差は後述の積層構造によって生じるものであり、本考案では、この渦の中心部分２ａと渦の外周部分２ｂとの高低差に基づいて、渦巻部２が立体的に形成されている、又は立体的な形状であると定義している。
【００２１】
図３にて示される渦巻部２は、複数のフェーズにより形成される。フェーズについては後述するが、第１及び第３フェーズで図３（ａ）にて示される渦の土台となる領域が形成され、後の第４フェーズではその土台となる領域の一部に積み重なるように渦巻部２の積層構造が形成される。本実施例では、この渦巻部２の積層構造は、連結部５から渦の旋回方向とは逆方向に向かって５目から１０目まで行われる２目の増し目と、１目から４目まで及び１１目以降に行われる細編みによって形成されている。渦巻部のどの部位から何目まで増し目を行うかについては実際に制作する編み物１の大きさ、形成する渦巻部２の大きさによっても異なる。より自然に立体的形状を形成するためには、図３（ｂ）にて示されるとおり、渦の中心部分２ａを基準にして略半周程度の編み目に増し目を施すのが望ましいが、これに限られるものではない。
例えば、１目から４目まで及び１１目以降に行われる細編みを行わず、すべて増し目によって形成してもよい。さらに、積層構造を形成する２目の増し目を、３目の増し目又は長編みなど他の編み方に変更し、又は一部置き換えたとしても渦巻部２が立体的に形成されるのであれば、編み方と編み目の数は問わない。
【００２２】
なお、渦巻部２の渦の旋回数についても制限はない。図１及び図２で示される本実施形態のハート形状は略２周半の旋回により形成されているが、この旋回数は編み物１の形状や大きさによって変えてもよい。渦巻部２の旋回数が１周を超えるものであればおおむね本考案の効果を発揮することができる。一方、１周に満たない旋回数では、編み物１がハート形状である場合、後述する丸型コーナー部３を有する必要性に乏しく、また渦巻部２が渦巻の形状をなしていないため、本考案の効果を十分に発揮できないといった懸念がある。なお、このことは旋回数が１周以下となる渦巻部２の制作を妨げるものではない。さらに、本実施例のようなハート形状でなければ、その旋回数は何周でも構わない。
【００２３】
図４にて示される丸型コーナー部３は、渦巻部２の渦の土台と連結する連結部５が形成された後、形成される。本実施例では、この連結部５から渦巻部２の旋回方向とは逆方向に向かって円弧又は略円弧の形状の丸型コーナー部３が形成されている。なお、丸型コーナー部３は、円弧又は略円弧の形状であることが望ましいが、この形状に限定されるものではなく、湾曲状であればよい。
本実施例では、丸型コーナー部３は３目の長編みによって形成されるが、長編みの数は編み物１の形状や大きさ、さらに渦巻部２の大きさによっても異なるため、３目に限定されるものではない。また、長編み以外の編み方、例えば長々編みや中長編みを用いた場合でも、丸型コーナー部３の形状が湾曲状になるようであれば編み目の数や編み方は問わない。
【００２４】
本実施例のようにハート形状を制作する場合には、渦巻部２の渦の外周部分２ｂと、湾曲状に形成される丸型コーナー部３とが、連結部５と編み物１の中心部６を結ぶ中心軸７に対して対称又は略対称の配置となるように、丸型コーナー部３を形成するのが望ましい。このように形成することにより、渦巻部２の渦の外周部分２ｂと丸型コーナー部３の湾曲形状がいずれもハートの膨らみのように形成され、より装飾性を高めることが可能である。
【００２５】
図５にて示される角型コーナー部４は、丸型コーナー部３と同様の編み方向、すなわち渦巻部２の旋回方向とは逆方向に、編み物１の外周を形成するフェーズにおいて形作られる。
本実施例のように編み物１がハート形状であれば、連結部５と、編み物１の中心部６とを結ぶ中心軸７上に角型コーナー部４を形成することで、ハートの角を形成することができる。なお、厳密に中心軸７上である必要はなく、中心軸７近辺であれば構わないが、角型コーナー部４が中心軸７から離れるほどに、ハートの角が左右の膨らみのいずれかに寄って形成されるため、左右の一方が長い歪なハート形状となる。本実施例のように、中心軸７に対して対称又は略対称なハート形状を形成するためには、中心軸７上に角型コーナー部４を設けることが望ましい。
一方、編み物１がハート形状でなければ角型コーナー部４の位置は中心軸７上でなくてもよい。制作する編み物１の形状によって位置を変えても構わない。
【００２６】
角型コーナー部４は、本実施例ではピコット編みによって形成されている。具体的には細編み２目の引き抜きピコットを用いているが、角型コーナー部４を形成する上では細編み２目でなくてもよい。
例えば、細編みの目を増やして引き抜くことで、丸みは有するがより大きな角を形成することもできる。さらに、他の編み方、一例として中長編み、長編みを用いる場合には、細編みの引き抜きピコットよりも丸みを帯びた形状になる。本実施例では、ハートの角を強調するために細編み２目の引き抜きピコットを用いているが、前述のとおり角型コーナー部４の形状が丸みや大きさの点で異なるものの、他の編み方を用いてもよく、細編み２目の引き抜きピコットに限定されるものではない。
【００２７】
次に、本例を踏まえて、好ましい実施の形態について説明する。
【００２８】
本実施形態は、４つのフェーズからなる。なお、後述するフェーズと領域については、説明の便宜上、４つに分類したにすぎず、各領域が独立して形成されるものではない。本実施例では、編み糸を切ることなく連続してすべてのフェーズを形成することが可能である。
【００２９】
第１フェーズでは、図６（ａ）の第一領域Ｆ１に該当する、渦巻部２の土台の大部分が形成される。
まず、鉤針に糸を通し、輪を作り、立ち上がりから６目細編みを行う。６目細編みを行った後、編み目の内側を掬ってさらに６目細編みを行う。この結果、筒状の形状が形成される。
さらに、編み目の外側を掬って、１目につき２目ずつ増し目を行う。本実施形態では先に６目の細編みを行っているため、増し目により計１２目となる。この増し目によって渦の原型を制作するが、このフェーズでは、渦巻の形状を形成するものであり、すなわち、平面的に中心部から外周部へと旋回する編み目を形作るものである。
【００３０】
なお、前述のとおり、使用する糸の種類や太さは問わず、鉤針の種類も、糸を編むことができればどのようなものでも構わない。また、鉤針ではなく編み棒を用いてもよい。さらに、機械編みで本考案が実施できるのであれば、機械編みを用いてもよい。なお、立ち上がりからの細編みの数は、本実施例の６目に限られるものではなく、制作する編み物の形状や大きさによって目の数を増減してもよい。さらに、細編みの代わりに、例えば鎖編みなど、他の編み方を用いてもよい。また、外周部へと旋回する渦の形状を形成するために、本実施例では１目につき２目の増し目を行うが、例えば長編み、長々編みなどで同様の効果が得られるのであれば、増し目以外の編み方でも構わない。
【００３１】
この第１フェーズでは、後の第３フェーズで角型コーナー部４を形成する部分に面した部分に、予め渦の角２ｃを設けておくとよい。本実施例では、細編み、長編み、細編みにより、渦の角２ｃを形成しており、渦の角２ｃを形成することによって、角型コーナー部４がより明確に、角として、すなわち２つの直線又は略直線が交差した形状として、判別できるようになる。
【００３２】
この渦の角２ｃは、本実施例では細編み、長編み、細編みにより形成しているが、この編み方に限定されるものではない。角として認識される編み方、例えば、引き抜き編み、中長編みのような編み方でもよく、他の編み方でも構わない。さらに、渦の角２ｃは、前述のとおり、角型コーナー部４の角の形状、すなわち２つの直線又は略直線が交差した形状をより明確にするためのものであるため、渦の角２ｃを設けることなく後の第３フェーズで角型コーナー部４を形成してもよい。
【００３３】
なお、渦の角２ｃを設けた場合には、本実施例では、その渦の角２ｃから、細編みを２回、増し目を行い、さらに細編み、同じ目に長編み、そして細編みを行う。この編み方は渦の旋回へ軌道修正するためのものであり、渦の角２ｃを設けない場合には組み込むことを要しない。また、他の編み方で代用できるのであればこの編み方でなくてもよい。
【００３４】
以上が第１フェーズであり、この編み方によってなるものが図６（ａ）の第一領域Ｆ１である。前述のとおり、この第一領域Ｆ１は渦巻部２の土台の大半を占める部分である。
【００３５】
次に第２フェーズについて説明する。第２フェーズでは、図６（ａ）の第二領域Ｆ２、すなわち連結部５と、丸型コーナー部３とを含む領域が形成される。
【００３６】
第２フェーズでは、まず、連結部５を形成する。この連結部５は、渦巻部２と丸型コーナー部３とを連結する部分である。
本実施例では、まずは細編みを行って、編み物１の裏側、すなわちこれまで編み込んだ側と反対の側にある渦の横糸を掬い、引き抜き編みを行う。さらに細編みを行うことで連結部５を形作る。
渦の横糸とは、形成される連結部５から中心部６方向を縦とした場合の横糸、すなわち中心軸７方向と垂直に表れる糸であり、この糸を用いることで、本実施例においては、ハート形状の二つの膨らみの間の窪みを明確に形成することができる。
【００３７】
連結部５が形成された後、再び編み物１の表側に戻り、丸型コーナー部３を形作る。
本実施例では、まずは細編みを行って、さらに、渦巻部２の渦の旋回方向とは逆方向に長編みを３目編む。この長編み３目が丸型コーナー部３となる。
【００３８】
前述のとおり、丸型コーナー部３が湾曲状になるのであれば、長編みの編み目の数は３目でなくてもよい。また、長編み以外の編み方、例えば長々編みや中長編みを用いてもよいが、本実施例では、丸型コーナー部３を長編み３目とすることにより、円弧又は略円弧形状に形成され、さらに渦巻部２の外周の形状と、中心軸７に対して対称又は略対称に形成される。
【００３９】
以上が第２フェーズであり、この編み方によってなるものが図６（ａ）の第二領域Ｆ２である。前述のとおり、この第二領域Ｆ２は連結部５と丸型コーナー部３とからなる領域である。
【００４０】
次に第３フェーズについて説明する。第３フェーズでは、図６（ａ）の第三領域Ｆ３、すなわち、連結部５と丸型コーナー部３を除く編み物１の外周が形成される。第三領域Ｆ３には、角型コーナー部４と、渦巻部２の外周も含まれる。
【００４１】
第２フェーズで形成された丸型コーナー部３から、長編みと同様の編み方向、すなわち渦巻部２の渦の旋回方向とは逆方向に、編地に沿って細編みを繰り返す。この連続した細編みが編み物１の外周を形成する。
なお、本実施例では外周を形成するために細編みを用いたが、細編みでなくてもよい。外周を形成するものであれば、他の編み方でも構わない。
【００４２】
細編みを繰り返し、中心軸７まで至った後、角型コーナー部４を形成する。中心軸７上に角型コーナー部４を形成することにより、中心軸７に対して対称又は略対称なハート形状を形成することができる。
本実施例では、細編み２目の引き抜きピコット編みを行い、さらに同じ穴に細編みを行うことによって角型コーナー部４を形成している。
前述のとおり、角型コーナー部４を形成する上では他の編み方を用いてもよいが、本実施例では、ハートの角を強調するために細編み２目の引き抜きピコット編みを用いている。
【００４３】
なお、第１フェーズにおいて、渦の角２ｃを形成している場合には、角型コーナー部４の角の形状、すなわち２つの直線又は略直線が交差した形状がより明確になる。
【００４４】
角型コーナー部４を形成した後、さらに渦巻部２の渦の外周部分２ｂを含む領域まで細編みを繰り返し、渦巻部２の外周を形成しながら膨らみを整える。すなわち丸型コーナー部３と中心軸７に対して対称又は略対称に形成される渦巻部２の外周において、その湾曲した形状が明確となるよう、細編みで整形する。
このように形成された渦の外周と、第１フェーズで形成された第一領域Ｆ１とは、渦巻部２の積層構造において土台となるものである。
【００４５】
渦巻部２の外周を形成しながら、細編みを繰り返すと、連結部５に至る。この連結部５までの外周が第３フェーズであり、この第３フェーズで形成されたものが図６（ａ）の第三領域Ｆ３である。前述のとおり、この第三領域Ｆ３は連結部５と丸型コーナー部３を除く編み物１の外周であり、角型コーナー部４と、渦巻部２の外周が含まれる領域である。
【００４６】
第３フェーズの連結部５から、さらに編み目方向、すなわち第１フェーズで形成された渦巻部２の渦の形状に沿って、渦の中心まで編み進めていくのが第４フェーズである。このフェーズでは、図６（ｂ）の第４領域Ｆ４で示されるとおり、渦巻部２の積層構造において渦の土台に積み重なる部分が形成される。
【００４７】
第３フェーズで外周を形成するのと同様に、第４フェーズにおいても本実施例では編地に沿って細編みを繰り返し行う。具体的には、連結部５に面した部分から、編み目方向、すなわち第１フェーズで形成された渦の旋回とは逆方向に、渦の中心に向かって、細編みを４目行う。
次の５目から渦の中心部分２ａに向かって１０目まで、１目につき２目の増し目を行う。この増し目を行う部分が渦巻部２においてもっとも高い位置に形成される。
さらに渦の中心部分２ａから渦の中心まで、すなわち１１目から最後の目までは、編地に沿って細編みを行う。
【００４８】
本実施例では、１目から４目まで及び１１目以降に細編みを行い、５目から１０目まで増し目を行うことにより積層構造を形成しているが、前述のとおり、増し目の数はこれに限られるものではなく、第４フェーズの始めから細編みを行うことなく増し目を行ってもよい。
さらに長編みなど他の編み方を用い、又は一部置き換えたとしてもこの積層構造が形成され、渦巻部２が立体的に形成されるのであれば他の編み方でも構わない。
【００４９】
なお、本実施例で積層構造を形成するために５目から１０目まで増し目を行う意図としては、渦巻部２の積層構造を実際の花弁の形状に近づけるためである。
本実施例が想定したバラのような花では、めしべ、おしべなどが含まれる中心部近辺では、花弁が密集し屹立しているのに対し、周辺部に至るにつれて花弁が自重により曲折している。
そこで、渦の中心部分２ａに向かって、増し目を略半周程度施すことにより、花の中心部近辺の様を模しているのである。この増し目の数が少なすぎると花を模しているようには見えず、さらに多すぎると、渦の土台に細編みが積み重なる段階を経ることなく増し目が行われることで、渦の土台と比べて突如高く積層構造が形成されることとなり、需要者に不自然な印象を与える。本実施例のように、細編みを４目行い、さらに増し目を５目行うことにより、段階的に積層構造を形成していくことが望ましい。
しかしながら、本考案では渦巻部２に積層構造を有していればよく、前述のとおり、本実施例のような編み方に限定されるものではない。
【００５０】
以上が第４フェーズであり、このように形成された領域が図６（ｂ）の第四領域Ｆ４である。前述のとおり、この第四領域Ｆ４は渦巻部２の積層構造において渦の土台に積み重なる領域である。
【００５１】
このようにして渦の中心まで編み終えたら、編み目を出し編み糸を処理する。編み糸の処理は、糸が解けない方法であればどのようなものでも構わない。
【産業上の利用可能性】
【００５２】
本考案の装飾用編み物は、積層構造を有し立体的に形成される渦巻部と、丸型コーナー部と、角型コーナー部と、を備えることで、花を模した形状の装飾用編み物と同様に需要者への興味を喚起しながら、さらに編み物全体としては他のモチーフや図形を形作ることが可能となっている。これにより、編み物の装飾性をさらに高め、装飾用編み物の多様性とさらなる可能性を示唆することで、編み物及びニット業界の産業の発達に寄与している。
【符号の説明】
【００５３】
１  編み物
２  渦巻部
２ａ  渦の中心部分
２ｂ  渦の外周部分
２ｃ  渦の角
３  丸型コーナー部
４  角型コーナー部
５  連結部
６  中心部
７  中心軸
Ｆ１  第一領域
Ｆ２  第二領域
Ｆ３  第三領域
Ｆ４  第四領域
【図１】
0003221123.tif 000003
【図２】
0003221123.tif 000004
【図３】
0003221123.tif 000005
【図４】
0003221123.tif 000006
【図５】
0003221123.tif 000007
【図６】
0003221123.tif 000008
【図７】
0003221123.tif 000009
【手続補正書】
【提出日】平成31年2月28日(2019.2.28)
【手続補正１】
【補正対象書類名】実用新案登録請求の範囲
【補正対象項目名】全文
【補正方法】変更
【補正の内容】
【実用新案登録請求の範囲】
【請求項１】
糸を編んで形成される装飾用の編み物において、
渦巻部と、丸型コーナー部と、角型コーナー部と、を備え、
前記渦巻部は、平面視が渦巻状であって内部に配置される部分と、湾曲状に形成される外周部と、を有し、
前記丸型コーナー部は、湾曲状に形成され、
前記角型コーナー部は、２つの直線又は略直線が交差した形状であり、
前記渦巻部であって、前記内部に配置される部分は、積層構造により立体的に形成され、
前記渦巻部の外周部と、前記丸型コーナー部と、前記角型コーナー部と、を含んで外周が形成された、
ことを特徴とする装飾用編み物。
【請求項２】
前記渦巻部と前記丸型コーナー部とが連結する連結部と、前記編み物の中心部と、を結ぶ中心軸に対して、前記丸型コーナー部及び前記渦巻部の外周部が対称又は略対称に形成され、
前記角型コーナー部は、前記中心軸上に形成され、
前記渦巻部の外周部と、前記丸型コーナー部と、前記角型コーナー部と、を含んでなる外形の平面視がハート形状である、
ことを特徴とする請求項１記載の装飾用編み物。
【請求項３】
前記編み物が絹糸によって形成される
ことを特徴とする請求項１又は請求項２記載の装飾用編み物。
【請求項４】
前記編み物がレース糸によって形成される
ことを特徴とする請求項１又は請求項２記載の装飾用編み物。
【手続補正２】
【補正対象書類名】明細書
【補正対象項目名】００１２
【補正方法】変更
【補正の内容】
【００１２】
上記課題を解決するために、本願請求項１に記載の考案は以下の構成を有する。すなわち、
糸を編んで形成される装飾用の編み物において、
渦巻部と、丸型コーナー部と、角型コーナー部と、を備え、
前記渦巻部は、平面視が渦巻状であって内部に配置される部分と、湾曲状に形成される外周部と、を有し、
前記丸型コーナー部は、湾曲状に形成され、
前記角型コーナー部は、２つの直線又は略直線が交差した形状であり、
前記渦巻部であって、前記内部に配置される部分は、積層構造により立体的に形成され、
前記渦巻部の外周部と、前記丸型コーナー部と、前記角型コーナー部と、を含んで外周が形成された、
ことを特徴とする装飾用編み物。
【手続補正３】
【補正対象書類名】明細書
【補正対象項目名】００１３
【補正方法】変更
【補正の内容】
【００１３】
また、本願請求項２に記載の考案は以下の構成を有する。すなわち、
前記渦巻部と前記丸型コーナー部とが連結する連結部と、前記編み物の中心部と、を結ぶ中心軸に対して、前記丸型コーナー部及び前記渦巻部の外周部が対称又は略対称に形成され、
前記角型コーナー部は、前記中心軸上に形成され、
前記渦巻部の外周部と、前記丸型コーナー部と、前記角型コーナー部と、を含んでなる外形の平面視がハート形状である、
ことを特徴とする請求項１記載の装飾用編み物。